(57)【特許請求の範囲】
【請求項１】
少なくとも画像を表示する表示部を有した表示装置と、少なくとも前記表示部に表示される画像を撮像する撮像部を有した撮像装置とを備え、前記表示部に表示される画像によって前記表示装置側から前記撮像装置側へ情報を転送する情報転送システムであって、
前記表示装置は、
任意の情報を記憶する記憶手段と、
前記情報を複数のコード情報に変換し、さらにそれぞれの前記コード情報に各々のコード内容と、各々の前記コード情報の転送間隔とを識別させるための同期情報を付与したコード画像を生成する画像生成手段と、
前記生成した複数のコード画像を前記表示部に連続再生表示させるように映像関連処理を行う映像処理手段と、
前記記憶手段から前記情報を読み出して前記画像生成手段に与えるとともに、前記映像処理手段に対し前記画像生成手段によって生成された各々のコード画像を所定の間隔で連続再生表示させるように制御する制御手段とを備え、
前記撮像装置は、
前記撮像部によって取り込んだ前記連続再生表示による複数の前記コード画像を保存する保存手段と、
前記保存された複数の前記コード画像のコード情報のコード内容と、各々のコード情報の転送間隔とを前記同期情報に基づいて識別し、所定の間隔で前記コード情報を選択して解析することにより前記情報を得る画像解析手段とを備え、
前記制御手段は、前記映像処理手段に対し複数の前記コード画像を連続再生表示させる際、各々の前記コード画像を所定数のフィールドで表示させるように制御し、
前記画像解析手段は、複数の前記フィールドで表示される各々の前記コード画像のうち、前記同期情報によって識別されるコード内容の異なる前記コード情報が隣り合わない部分の前記コード情報を各々選択して解析する
ことを特徴とする情報転送システム。
【請求項２】
前記コード情報は、二次元コードであることを特徴とする請求項１に記載の情報転送システム。
【請求項３】
少なくとも画像を表示する表示部を有した表示装置と、少なくとも前記表示部に表示される画像を撮像する撮像部を有した撮像装置とを備え、前記表示部に表示される画像によって前記表示装置側から前記撮像装置側へ情報を転送する情報転送方法であって、
前記表示装置は、
記憶されている任意の情報を複数のコード情報に変換し、さらにそれぞれの前記コード情報に各々のコード内容と、各々の前記コード情報の転送間隔とを識別させるための同期情報を付与したコード画像を生成する工程と、
前記生成した複数のコード画像を前記表示部に連続再生表示させるように映像関連処理を行う工程と、
前記生成された各々のコード画像を所定の間隔で連続再生表示させるように制御する工程とを有し、
前記撮像装置は、
前記撮像部によって取り込んだ前記連続再生表示による複数の前記コード画像を保存する工程と、
前記保存された複数の前記コード画像のコード情報のコード内容と、各々のコード情報の転送間隔とを前記同期情報に基づいて識別し、所定の間隔で前記コード情報を選択して解析することにより前記情報を得る工程とを有し、
さらに、前記表示装置は、前記コード画像を連続再生表示させる際、各々の前記コード画像を所定数のフィールドで表示させるように制御する工程を有し、
前記撮像装置は、複数の前記フィールドで表示される各々の前記コード画像のうち、前記同期情報によって識別されるコード内容の異なる前記コード情報が隣り合わない部分の前記コード情報を各々選択して解析する工程を有する
ことを特徴とする情報転送方法。
【請求項４】
前記コード情報は、二次元コードであることを特徴とする請求項３に記載の情報転送方法。
【発明の詳細な説明】
【技術分野】
【０００１】
本発明は、映像信号の伝送方式を用い、任意の情報を、たとえばＱＲコード（登録商標）等の二次元コードで転送する情報転送システム及び情報転送方法に関する。
【背景技術】
【０００２】
二次元コードであるたとえばＱＲコード（登録商標）は、マトリックス型二次元バーコードであり、一次元バーコードに対し数１００倍のデータを保持することができる。
【０００３】
ちなみに、ＱＲコード（登録商標）には、数字以外に任意のデータを記録することができる。ＱＲコード（登録商標）では、データの種類により、数字３文字が１０ｂｉｔで符号化される数字モードと、２文字が１１ｂｉｔで符号化される英数字モードと、１文字が８ｂｉｔそのままで符号化される８ビットバイトモードと、漢字１文字（２バイト）が１３ｂｉｔで符号化される漢字モードとがある。
【０００４】
符号化されたビット列は、モード指定子（４ｂｉｔ）、文字数指定子（８〜１６ｂｉｔ）が先頭に順に付加され、１つのセグメントを構成する。また、ＱＲコード（登録商標）内には、複数のセグメントを格納することができ、各セグメントは、モード指定子で指定される符号化モードで符号化されている。
【０００５】
ＱＲコード（登録商標）の利用としては、ＱＲコード（登録商標）に電話番号、住所等の情報やインターネットのＵＲＬ等を記録しておき、そのＱＲコード（登録商標）をたとえばカメラ付き携帯電話のカメラで撮影し、その撮影した画像からＱＲコード（登録商標）に記録されている電話番号、住所等の情報やインターネットのＵＲＬ等が得られるようにしている。
【０００６】
また、このようなＱＲコード（登録商標）を、ポスター、電車内の吊り広告、あるいは雑誌等の広告掲載ページ等に掲載しておき、携帯電話のカメラで読み取り、そのＱＲコード（登録商標）内のＵＲＬにアクセスすることで、キーによるＵＲＬの入力操作を行うこと無く、Ｗｅｂサイトへのアクセスが可能となる。
【０００７】
このようなＱＲコード（登録商標）を用いたものとし、特許文献１では、画像表示装置の書き換え可能な画像表示部に広告画像と共に表示された二次元コードを、撮像素子を備えた撮像装置により撮像して、撮像装置側で解読し表示部に表示することで、情報量の多いコード情報を正確に、かつ、迅速に読み取ることのできる画像情報表示装置を提案している。
【０００８】
特許文献２では、携帯電話機の制御部により、二次元コードの識別情報を検出し、識別情報の結果から特定のカラーを選択するとともに、二次元コードを特定のカラーに変換し、特定のカラーに変換された二次元コードを表示部に表示することで、異なる識別情報を持つ二次元コードを視観的に識別・特定することができる携帯端末装置を提案している。
【特許文献１】特開２００２−１５２７４号公報
【特許文献２】特開２００４−１０２７８２号公報
【発明の開示】
【発明が解決しようとする課題】
【０００９】
ところが、特許文献１に示されている画像情報表示装置では、二次元コードを撮像することで、情報量の多いコード情報を読み取ることが可能であるが、その二次元コードは画像表示部に表示された静止画であり、撮像装置により得られる情報は１個の二次元コードに限られてしまう。
【００１０】
また、特許文献２に示された携帯端末装置では、異なる識別情報を持つ二次元コードを視観的に識別・特定することができるものの、上記同様に、その二次元コードは静止画であり、携帯電話機によって得られる情報は１個の二次元コードに限られてしまう。
【００１１】
解決しようとする問題点は、二次元コードが静止画であると、その二次元コードを読み取って得られる情報が１個の二次元コードに限られてしまうという点である。
【課題を解決するための手段】
【００１２】
本発明の情報転送システムは、少なくとも画像を表示する表示部を有した表示装置と、少なくとも前記表示部に表示される画像を撮像する撮像部を有した撮像装置とを備え、前記表示部に表示される画像によって前記表示装置側から前記撮像装置側へ情報を転送する情報転送システムであって、前記表示装置は、任意の情報を記憶する記憶手段と、前記情報を複数のコード情報に変換し、さらにそれぞれの前記コード情報に各々のコード内容と、各々の前記コード情報の転送間隔とを識別させるための同期情報を付与したコード画像を生成する画像生成手段と、前記生成した複数のコード画像を前記表示部に連続再生表示させるように映像関連処理を行う映像処理手段と、前記記憶手段から前記情報を読み出して前記画像生成手段に与えるとともに、前記映像処理手段に対し前記画像生成手段によって生成された各々のコード画像を所定の間隔で連続再生表示させるように制御する制御手段とを備え、前記撮像装置は、前記撮像部によって取り込んだ前記連続再生表示による複数の前記コード画像を保存する保存手段と、前記保存された複数の前記コード画像のコード情報のコード内容と、各々のコード情報の転送間隔とを前記同期情報に基づいて識別し、所定の間隔で前記コード情報を選択して解析することにより前記情報を得る画像解析手段とを備え、前記制御手段は、前記映像処理手段に対し複数の前記コード画像を連続再生表示させる際、各々の前記コード画像を所定数のフィールドで表示させるように制御し、前記画像解析手段は、複数の前記フィールドで表示される各々の前記コード画像のうち、前記同期情報によって識別されるコード内容の異なる前記コード情報が隣り合わない部分の前記コード情報を各々選択して解析することを特徴とする。
このような構成では、制御手段により、記憶手段から任意の情報が読み出されて画像生成手段に与えられると、画像生成手段により、その情報が複数のコード情報にコード変換され、さらにそれぞれのコード情報に各々のコード内容と、各々のコード情報の転送間隔とを識別させるための同期情報を付与したコード画像が生成され、制御手段により、映像処理手段に対し表示が指示されると、映像処理手段により、各々のコード画像が表示部に所定の間隔で連続再生表示され、一方、撮像装置の撮像部によって連続再生表示による複数のコード画像が取り込まれると、それらのコード画像が保存手段に保存され、画像解析手段により、保存された複数のコード画像のコード情報のコード内容と、各々のコード情報の転送間隔とが同期情報に基づいて識別され、所定の間隔でコード情報が選択されて解析されることで、元の情報が得られることから、映像信号の同期タイミングとコード画像の同期タイミングが一致していなくてもコード変換されたコード情報を何ら問題なく転送することができる。
また、このような構成では、各々のコード画像が所定数のフィールドで表示され、画像解析手段により、複数のフィールドで表示される各々のコード画像のうち、同期情報によって識別されるコード内容の異なるコード情報が隣り合わない部分のコード情報が各々選択されて解析されるため、連続再生表示の際にフィールドの書き換え途中にコード内容の異なるコード画像が重なるなどして正しいコード画像が得られる可能性が低い場合であっても、連続再生表示された複数のコード画像から元の情報を正確に復元することができる。
また、前記コード情報は、二次元コードであるようにすることができる。
このような構成では、コード情報をバーコード又は二次元コードのいずれかとすることができるが、特にコード情報を二次元コードとすることで、単位時間当たりの情報転送量をバーコードに比べてより多くすることができる。
本発明の情報転送方法は、少なくとも画像を表示する表示部を有した表示装置と、少なくとも前記表示部に表示される画像を撮像する撮像部を有した撮像装置とを備え、前記表示部に表示される画像によって前記表示装置側から前記撮像装置側へ情報を転送する情報転送方法であって、前記表示装置は、記憶されている任意の情報を複数のコード情報に変換し、さらにそれぞれの前記コード情報に各々のコード内容と、各々の前記コード情報の転送間隔とを識別させるための同期情報を付与したコード画像を生成する工程と、前記生成した複数のコード画像を前記表示部に連続再生表示させるように映像関連処理を行う工程と、前記生成された各々のコード画像を所定の間隔で連続再生表示させるように制御する工程とを有し、前記撮像装置は、前記撮像部によって取り込んだ前記連続再生表示による複数の前記コード画像を保存する工程と、前記保存された複数の前記コード画像のコード情報のコード内容と、各々のコード情報の転送間隔とを前記同期情報に基づいて識別し、所定の間隔で前記コード情報を選択して解析することにより前記情報を得る工程とを有し、さらに、前記表示装置は、前記コード画像を連続再生表示させる際、各々の前記コード画像を所定数のフィールドで表示させるように制御する工程を有し、前記撮像装置は、複数の前記フィールドで表示される各々の前記コード画像のうち、前記同期情報によって識別されるコード内容の異なる前記コード情報が隣り合わない部分の前記コード情報を各々選択して解析する工程を有することを特徴とする。
このような構成では、任意の情報が複数のコード情報にコード変換され、さらにそれぞれのコード情報に各々のコード内容と、各々のコード情報の転送間隔とを識別させるための同期情報を付与したコード画像が生成された後、各々のコード画像が表示部に所定の間隔で連続再生表示され、一方、撮像装置の撮像部によって連続再生表示による複数のコード画像が取り込まれると、それらのコード画像が保存され、その保存された複数のコード画像のコード情報のコード内容と、各々のコード情報の転送間隔とが同期情報に基づいて識別され、所定の間隔でコード情報が選択されて解析されることで、元の情報が得られることから、映像信号の同期タイミングとコード画像の同期タイミングが一致していなくてもコード変換されたコード情報を何ら問題なく転送することができる。
また、このような構成では、各々のコード画像が所定数のフィールドで表示されるとともに、複数のフィールドで表示される各々のコード画像のうち、同期情報によって識別されるコード内容の異なるコード情報が隣り合わない部分のコード情報が各々選択されて解析されるため、連続再生表示の際にフィールドの書き換え途中にコード内容の異なるコード画像が重なるなどして正しいコード画像が得られる可能性が低い場合であっても、連続再生表示された複数のコード画像から元の情報を正確に復元することができる。
また、前記コード情報は、二次元コードであるようにすることができる。
このような構成では、コード情報をバーコード又は二次元コードのいずれかとすることができるが、特にコード情報を二次元コードとすることで、単位時間当たりの情報転送量をバーコードに比べてより多くすることができる。
【発明の効果】
【００１３】
本発明の情報転送システム及び情報転送方法によれば、制御手段により、記憶手段から任意の情報が読み出されて画像生成手段に与えられると、画像生成手段により、その情報が複数のコード情報にコード変換され、さらにそれぞれのコード情報に各々のコード内容と、各々のコード情報の転送間隔とを識別させるための同期情報を付与したコード画像が生成され、制御手段により、映像処理手段に対し表示が指示されると、映像処理手段により、各々のコード画像が表示部に所定の間隔で連続再生表示され、一方、撮像装置の撮像部によって連続再生表示による複数のコード画像が取り込まれると、それらのコード画像が保存手段に保存され、画像解析手段により、保存された複数のコード画像のコード情報のコード内容と、各々のコード情報の転送間隔とが同期情報に基づいて識別され、所定の間隔でコード情報が選択されて解析されることで、元の情報が得られることから、映像信号の同期タイミングとコード画像の同期タイミングが一致していなくてもコード変換されたコード情報を何ら問題なく転送することができ、複数のコード画像の連続再生表示により、より多くの情報を高速で転送することができる。
【発明を実施するための最良の形態】
【００１４】
本実施形態では、制御手段により、記憶手段から任意の情報が読み出されて画像生成手段に与えられると、画像生成手段により、その情報が複数のコード情報にコード変換され、さらにそれぞれのコード情報に各々のコード内容と、各々のコード情報の転送間隔とを識別させるための同期情報を付与したコード画像が生成され、制御手段により、映像処理手段に対し表示が指示されると、映像処理手段により、各々のコード画像が表示部に所定の間隔で連続再生表示され、一方、撮像装置の撮像部によって連続再生表示による複数のコード画像が取り込まれると、それらのコード画像が保存手段に保存され、画像解析手段により、保存された複数のコード画像のコード情報のコード内容と、各々のコード情報の転送間隔とが同期情報に基づいて識別され、所定の間隔でコード情報が選択されて解析されることで、元の情報が得られるようにし、映像信号の同期タイミングとコード画像の同期タイミングが一致していなくてもコード変換されたコード情報を何ら問題なく転送することで、複数のコード画像の連続再生表示により、より多くの情報を高速で転送することができるようにした。
【実施例】
【００１５】
以下、本発明の実施の形態について説明する。
図１は、本発明に係る情報転送システムの一実施形態の概要を説明するための図、図２は、図１の情報転送システムにおける内部構成を説明するためのブロック図、図３〜図８は、図１の情報転送システムにおける情報転送方法を説明するための図、図９及び図１０は、図１の情報転送システムの一利用形態を説明するための図である。
【００１６】
図１に示す情報転送システムは、表示装置としてのテレビジョン受像機１０と、撮像装置としてのカメラ付き携帯電話２０とを備えている。
【００１７】
テレビジョン受像機１０は、たとえば装置内部の調整や設定による調整及び設定値を、異なる同期情報３０ａ（又は後述の３０ｂ）が付与されたコード情報である二次元コードとしての複数のたとえばＱＲコード（登録商標）３０にコード変換して連続再生表示できる機能を有している。
【００１８】
なお、ここでの同期情報３０ａ（又は後述の３０ｂ）は、各々のＱＲコード（登録商標）３０のコード内容と、各々のＱＲコード（登録商標）３０の転送間隔とを識別するための情報であるが、その詳細は後述する。また、以下においては、連続再生表示される同期情報３０ａ（又は後述の３０ｂ）が付与されたＱＲコード（登録商標）３０をコード画像という。
【００１９】
カメラ付き携帯電話２０は、連続再生表示された複数のコード画像を取り込み、各々のコード画像のＱＲコード（登録商標）３０を同期情報３０ａ（又は後述の３０ｂ）に基づいて選択し解読することができる機能を有している。
【００２０】
なお、コード情報である二次元コードとしては、ＱＲコード（登録商標）３０に限らず、マキシコードやベリコード等の他の二次元コードとしてもよい。また、ＱＲコード（登録商標）３０を撮像する撮像装置としては、カメラ付き携帯電話２０に限らず、少なくとも撮像機能と二次元コードの解読機能とを有したＰＤＡやビデオカメラ等の機器であってもよい。
【００２１】
次に、図２により、情報転送システムの内部構成について説明する。
テレビジョン受像機１０は、マイコン１１、メモリ１２、映像／音声処理回路１３、画像生成部１４、画像処理用メモリ１５、映像／音声出力部１６を備えている。
【００２２】
制御手段としてのマイコン１１は、各部の動作を制御するとともに、メモリ１２に記憶されている調整及び設定値を読み出して、画像生成部１４に与える。記憶手段としてのメモリ１２は、揮発性又は不揮発性のいずれかであり、たとえば画質調整用やマイコン起動時の状態値等の各種設定値を調整及び設定値として記憶している。
【００２３】
映像処理手段としての映像／音声処理回路１３は、図示しない分離部によって分離された映像／音声情報に対して映像／音声関連処理を行い、映像／音声情報を映像／音声出力部１６から出力させる。また、映像／音声処理回路１３は、画像生成部１４によって生成された上述のコード画像を映像／音声出力部１６の表示部に連続再生表示させるが、その詳細については後述する。
【００２４】
画像生成手段としての画像生成部１４は、マイコン１１からの調整及び設定値を、その値の並びに応じてコード変換し、コード内容の異なる複数のＱＲコード（登録商標）３０として生成する。また、画像生成部１４は、各々のＱＲコード（登録商標）３０のコード内容と、各々のＱＲコード（登録商標）３０の転送間隔とが読み取り側で識別できるように、図３に示すように、それぞれのＱＲコード（登録商標）３０に同期情報３０ａ又は３０ｂを付与する。
【００２５】
これらの同期情報３０ａ又は３０ｂは、画像処理用メモリ１５にそれぞれのＱＲコード（登録商標）３０を一時的に格納する際にそれぞれのＱＲコード（登録商標）３０毎に付与される。ここで、それぞれのＱＲコード（登録商標）３０は、マイコン１１からの調整及び設定値の並びに応じて生成されるため、それらの同期情報３０ａ又は３０ｂは図３に示すように、少なくとも２種類あればよいことになる。
【００２６】
なお、画像生成部１４の処理能力が十分に高い場合は、画像処理用メモリ１５に一時的に格納されたそれぞれのＱＲコード（登録商標）３０が映像／音声処理回路１３に出力されるときに、それぞれのＱＲコード（登録商標）３０に同期情報３０ａ又は３０ｂを付与しつつ映像／音声処理回路１３に与えるようにしてもよい。また、調整及び設定値を複数のＱＲコード（登録商標）３０にコード変換する場合、たとえば画像生成部１４にそのコード変換を行う既存の変換プログラムを格納しておけばよい。
【００２７】
画像処理用メモリ１５には、画像生成部１４によってコード変換された複数のＱＲコード（登録商標）３０が一時的に格納される。このとき、これら複数のＱＲコード（登録商標）３０に対して、画像生成部１４によりそれぞれのＱＲコード（登録商標）３０に上述した同期情報３０ａ又は３０ｂが付与される。
【００２８】
映像／音声出力部１６は、表示部及びスピーカを有し、映像／音声処理回路１３により映像／音声関連処理された映像／音声を出力する。また、映像／音声出力部１６の表示部は、画像生成部１４によって生成された上述のコード画像を連続再生表示するが、その詳細は後述する。
【００２９】
カメラ付き携帯電話２０は、カメラ部２１、画像処理用メモリ２２、画像解析部２３、マイコン２４、インタフェース２５を備えている。
【００３０】
撮像部としてのカメラ部２１は、画像を取り込むものであり、映像／音声出力部１６の表示部に連続再生表示される上述のコード画像を取り込む。保存手段としての画像処理用メモリ２２は、カメラ部２１によって取り込まれた複数のコード画像を一時的に保存する。ここで、画像処理用メモリ２２に保存された複数のコード画像は、インタフェース２５を介し連続再生画３０ｃとして取り出すことができる。
【００３１】
画像解析手段としての画像解析部２３は、画像処理用メモリ２２に保存された複数のコード画像のＱＲコード（登録商標）３０を解析し、インタフェース２５を介し調整及び設定データ３０ｄとして出力する。ここで、画像処理用メモリ２２に保存された複数のコード画像のＱＲコード（登録商標）３０を解析する場合、ＱＲコード（登録商標）３０に付与されている上述の同期情報３０ａ又は３０ｂより、各々のＱＲコード（登録商標）３０を判別するが、その詳細は後述する。
【００３２】
なお、複数のＱＲコード（登録商標）３０を解析する場合、画像解析部２３にＱＲコード（登録商標）３０を解析するための既存の解析プログラムを格納しておけばよい。マイコン２４は、画像処理用メモリ２２による複数のコード画像の保存や画像解析部２３による複数のコード画像のＱＲコード（登録商標）３０の解析等を制御する。
【００３３】
次に、情報転送方法について説明する。
まず、図４に示すように、図示しないリモコン等からの情報転送指示があると、マイコン１１により、メモリ１２に記憶されている調整及び設定値が読み出され、画像生成部１４に与えられる（ステップＳ１）。このとき、マイコン１１によってメモリ１２から読み出された調整及び設定値が図５（ａ）のように連続しているものとする。
【００３４】
画像生成部１４がマイコン１１からその調整及び設定値を受け取ると、その調整及び設定値をＱＲコード（登録商標）３０にコード変換できる所定のデータ量に分けるとともに、それぞれに分けた調整及び設定値の並び順に対応させて、図５（ｂ）に示すように、複数のＱＲコード（登録商標）３０にコード変換して画像処理用メモリ１５に格納する（ステップＳ２）。ここで、画像処理用メモリ１５に格納された各々のＱＲコード（登録商標）３０は、互いに異なるコード内容となる。
【００３５】
次いで、画像生成部１４が画像処理用メモリ１５に格納されたそれぞれのＱＲコード（登録商標）３０毎に、読み取り側で識別できるように、それぞれのＱＲコード（登録商標）３０に同期情報３０ａ又は３０ｂを付与する（ステップＳ３）。
【００３６】
ここで、それぞれのＱＲコード（登録商標）３０のコード内容は、左から順に、データ（１）、データ（２）、・・・、データ（６）・・・であるものとする。
【００３７】
次いで、画像生成部１４に与えられた調整及び設定値の全てが複数のＱＲコード（登録商標）３０にコード変換されると、マイコン１１により映像／音声処理回路１３及び画像生成部１４に対して同期情報３０ａ又は３０ｂが付与されたＱＲコード（登録商標）３０のコード画像の再生指示が出される（ステップＳ４）。
【００３８】
その際、マイコン１１から映像／音声処理回路１３に対し、１個のコード画像を、所定数のフィールドで表示させるように制御する。なお、１個のコード画像を表示させるフィールドの数はいくらでもよいが、各々のコード画像のＱＲコード（登録商標）３０の転送速度を高めようとした場合はできる限り少ない数が好ましい。そこで、本実施形態では、１個のコード画像のＱＲコード（登録商標）３０をたとえば４フィールドで表示させるように制御するものとする（ステップＳ５）。
【００３９】
これにより、映像／音声出力部１６の表示部には、図６に示すように、コード内容がデータ（１）、データ（２）、・・・、データ（ｎ）、データ（ｎ＋１）・・・とされた各々のＱＲコード（登録商標）３０がコード画像として連続再生表示される（ステップＳ６）。
【００４０】
このようにして連続再生表示されたコード画像は、カメラ付き携帯電話２０のカメラ部２１によって取り込まれると（ステップＳ７）、図７に示すように、連続した複数のコード画像として画像処理用メモリ２２に一時的に保存される（ステップＳ８）。
【００４１】
ここで、画像処理用メモリ２２に保存された各々のコード画像の同期情報３０ａ又は３０ｂが付与されているＱＲコード（登録商標）３０は、インタフェース２５を介して連続再生画３０ｃとして取り出すことができる。
【００４２】
一方、画像解析部２３により、画像処理用メモリ２２に保存された各々のコード画像の同期情報３０ａ又は３０ｂが付与されているＱＲコード（登録商標）３０が解析される場合、画像解析部２３が同期情報３０ａ又は３０ｂによって各々のコード内容と、各々のＱＲコード（登録商標）３０の転送間隔とを識別することで、コード内容であるデータ（１）、データ（２）、データ（３）、・・・のそれぞれの境界を判別することができる（ステップＳ９）。
【００４３】
つまり、同じ同期情報３０ａ又は３０ｂが連続しているＱＲコード（登録商標）３０は、同じコード内容を有しているものと識別でき、また同期情報３０ａ又は３０ｂの間隔により、各々のＱＲコード（登録商標）３０の転送間隔を識別することが可能となるためである。
【００４４】
ここで、映像／音声出力部１６の表示部における同期情報３０ａ又は３０ｂが付与されたＱＲコード（登録商標）３０のコード画像の表示タイミングと、カメラ付き携帯電話２０のカメラ部２１による取り込みタイミングとはほとんどの場合一致していない。そのため、同期情報３０ａが付与されたＱＲコード（登録商標）３０と同期情報３０ｂが付与されたＱＲコード（登録商標）３０との隣り合う部分が、フィールドの書き換え途中に重なるなどして正しいデータとして復元されない可能性がある。
【００４５】
すなわち、たとえばデータ（１）をコード変換したＱＲコード（登録商標）３０が１〜４フィールドで表示され、データ（２）をコード変換したＱＲコード（登録商標）３０が５〜８フィールドで表示されるとき、４フィールドから５フィールドへの表示切り換えの際に、４フィールド目のＱＲコード（登録商標）３０と５フィールド目のＱＲコード（登録商標）３０とが重なることがあるためである。
【００４６】
そこで、画像解析部２３により、図８（ａ）に示すように、たとえばデータ（１）では、４つのＱＲコード（登録商標）３０のうち、内側の２つのＱＲコード（登録商標）３０のデータの信頼性が高いと判断されるようにしておき、さらに信頼性が高い２つのＱＲコード（登録商標）３０のいずれか一方が選択されるようにする。
【００４７】
より具体的には、画像解析部２３が同期情報３０ａ又は３０ｂの間隔により、各々のＱＲコード（登録商標）３０の転送間隔を識別し、その転送間隔から各々のＱＲコード（登録商標）３０のサンプリング期間を決定することで、データの信頼性が高いＱＲコード（登録商標）３０を確実に選択することができる。
【００４８】
このことは、言い換えれば、カメラ付き携帯電話２０側で、テレビジョン受像機１０側からの複数のコード画像の転送間隔を把握していなくても、データの信頼性が高いＱＲコード（登録商標）３０を確実に選択することができると言える。また、テレビジョン受像機１０側では、複数のコード画像の転送間隔を自由に設定できるとも言える。
【００４９】
これにより、図８（ｂ）に示すように、信頼性の高いコード内容であるデータ（１）、データ（２）、データ（３）、・・・のそれぞれに対応したＱＲコード（登録商標）３０が選択される（ステップＳ１０）。次いで、画像解析部２３により、選択したそれぞれのＱＲコード（登録商標）３０を順に解析することにより（ステップＳ１１）、図８（ｃ）に示すように、テレビジョン受像機１０のマイコン１１によって読み出されたメモリ１２内の調整及び設定値が復元され、調整及び設定データ３０ｄとしてインタフェース２５から取り出すことができる（ステップＳ１１）。
【００５０】
このように、本実施形態では、マイコン１１により、メモリ１２からたとえば装置内部の調整や設定による調整及び設定値が読み出されて画像生成部１４に与えられると、画像生成部１４により、その値が複数のＱＲコード（登録商標）３０にコード変換され、さらにそれぞれのＱＲコード（登録商標）３０に各々のコード内容と、各々のＱＲコード（登録商標）３０の転送間隔とを識別させるための同期情報３０ａ又は３０ｂを付与したコード画像が生成された後、映像／音声処理回路１３により、各々のコード画像が表示部に所定の間隔で連続再生表示され、一方、カメラ付き携帯電話２０のカメラ部２１によって連続再生表示による複数のコード画像が取り込まれると、それらのコード画像が画像処理用メモリ２２に保存され、画像解析部２３により、保存された複数のコード画像のＱＲコード（登録商標）３０のコード内容と、各々のＱＲコード（登録商標）３０の転送間隔とが同期情報３０ａ又は３０ｂに基づいて識別され、所定の間隔でＱＲコード（登録商標）３０が選択されて解析されることで、元の情報が得られることから、映像信号の同期タイミングとコード画像の同期タイミングが一致していなくてもコード変換された複数のＱＲコード（登録商標）３０を何ら問題なく転送することができ、複数のコード画像の連続再生表示により、より多くの情報を高速で転送することができる。
【００５１】
また、本実施形態では、各々のコード画像が所定数のフィールドで表示され、カメラ付き携帯電話２０の画像解析部２３により、複数のフィールドで表示される各々のコード画像のうち、同期情報３０ａ又は３０ｂによって識別されるコード内容の異なるＱＲコード（登録商標）３０が隣り合わない部分のＱＲコード（登録商標）３０を各々選択して解析するようにしたので、連続再生表示の際にフィールドの書き換え途中にコード内容の異なるコード画像が重なるなどして正しいコード画像が得られる可能性が低い場合であっても、正しいデータを有するＱＲコード（登録商標）３０を確実に選択できるため、連続再生表示された複数のコード画像から元の情報を正確に復元することができる。
【００５２】
また、本実施形態では、同期情報３０ａ又は３０ｂによってコード内容と転送間隔とを識別できるようにしたので、カメラ付き携帯電話２０側で、テレビジョン受像機１０側からの複数のコード画像の転送間隔を把握していなくても、データの信頼性が高いＱＲコード（登録商標）３０を確実に選択することができ、また、テレビジョン受像機１０側では、複数のコード画像の転送間隔を自由に設定することができる。
【００５３】
しかも、カメラ付き携帯電話２０側では、同期情報３０ａ又は３０ｂによって転送間隔を把握できることから、複数のコード画像のＱＲコード（登録商標）３０のサンプリング期間を必要最小限に設定できるため、そのサンプリングの無駄な時間を省くことが可能となることから、残った時間を他の処理（たとえば先に取り込んだＱＲコード（登録商標）３０の解析等）にあてることができ、カメラ付き携帯電話２０側のシステム全体のパフォーマンス（処理スピード等）を上げることも可能である。
【００５４】
また、本実施形態では、コード情報をＱＲコード（登録商標）３０である二次元コードとした場合について説明したが、単位時間当たりの情報転送量が少なくてもよい場合にはコード情報をバーコードとしてもよいことは勿論である。
【００５５】
また、同期情報３０ａ又は３０ｂにあっては、図３に示したように、ＱＲコード（登録商標）３０の右上に限らず、ＱＲコード（登録商標）３０の周囲であればどこに付与されていてもよい。また、同期情報３０ａ又は３０ｂにあっては、図３に示したように、四角形を白抜き又は塗りつぶした形状に限らず、円形、楕円形、菱形、星形等を白抜き又は塗りつぶした他の形状であってもよく、また、これらを組み合わせてもよい。
【００５６】
また、同期情報３０ａ又は３０ｂにあっては、単なるマークに限らず、データの種類を示すコードであってもよいし、ＱＲコード（登録商標）３０の並び順等を示すコードであってもよい。
【００５７】
また、本実施形態では、図１に示したように、テレビジョン受像機１０に画像生成部１４を組み込んでいるが、その画像生成部１４は既存のデバイスとマイコン１１の動作プログラムの追加により実現可能であるため、余計な部品を追加する必要も無く、コストメリットも大きい。
【００５８】
なお、カメラ付き携帯電話２０によって得られた連続再生画３０ｃや調整及び設定データ３０ｄは、次のようにして利用することができる。
【００５９】
すなわち、カメラ付き携帯電話２０によって得られた調整及び設定データ３０ｄを磁気テープや光ディスク等の記録媒体に記録しておくことで、その調整及び設定データ３０ｄをそのまま遠隔地に持ち運びすることができる。
【００６０】
また、カメラ付き携帯電話２０によって得られたたとえば連続再生画３０ｃを、磁気テープや光ディスク等の記録媒体に記録しておくことで、その記録媒体を遠隔地に持ち運びすることができる。そして、その記録媒体に記録されているたとえば連続再生画３０ｃを、遠隔地にある他の画像解析装置によって解析することで、別の時間、場所で上記と同様に、元のテレビジョン受像機１０のマイコン１１によって読み出されたメモリ１２内の調整及び設定値を復元した調整及び設定データ３０ｄを得ることができる。
【００６１】
この場合、たとえば図９及び図１０に示すように、たとえば連続再生画３０ｃの取り込み対象となるたとえばテレビジョン受像機４０に画像解析部４２を組み込んでおく。そして、カメラ付き携帯電話２０からの連続再生画３０ｃがケーブル５０を介してインタフェース４１から画像解析部４２に取り込まれるようにする。ここでも、画像解析部４２にＱＲコード（登録商標）３０を解析するための既存のプログラムを格納しておけばよい。
【００６２】
これにより、画像解析部４２が上述した手順で、信頼性の高いデータ（１）、データ（２）、データ（３）、・・・のそれぞれに対応したＱＲコード（登録商標）３０を選択し、選択したそれぞれのＱＲコード（登録商標）３０を順に解析することにより、元のテレビジョン受像機１０のマイコン１１によって読み出されたメモリ１２内の調整及び設定値を復元した調整及び設定データ３０ｄを得るとともに、その調整及び設定データ３０ｄがメモリ４４に記憶される。
【００６３】
そして、マイコン４３がメモリ４４に記憶された調整及び設定データ３０ｄに基づいて、映像／音声出力部４６に対して映像／音声を出力させる映像／音声処理回路４５等の調整及び設定を行うことができる。このことは、テレビジョン受像機１０と同じ調整及び設定によるテレビジョン受像機４０が得られるということになる。
【００６４】
なお、画像解析部４２は、既存のデバイスとマイコン４３の動作プログラムの追加により実現可能であるため、余計な部品を追加する必要も無く、コストメリットも大きい。
【００６５】
また、液晶テレビ等のテレビジョン受像機４０あっては、インタフェース４１として、通常装備されている映像入力端子を用いることができ、そこから上述した連続再生画３０ｃを入力するだけで、調整及び設定が完了することから、簡便かつ汎用性の高い仕組みを構成することができる。
【００６６】
なお、本実施形態では、転送する情報としてテレビジョン受像機１０側の調整や設定による調整及び設定値とした場合について説明したが、これに限らず、コード情報に変換できる情報であれば、いずれの情報であってもよいことは勿論である。
【産業上の利用可能性】
【００６７】
映像信号の伝送方式を用いて情報を転送する全てのシステムに適用可能である。
【図面の簡単な説明】
【００６８】
【図１】本発明に係る情報転送システムの一実施形態の概要を説明するための図である。
【図２】図１の情報転送システムにおける内部構成を説明するためのブロック図である。
【図３】図１の情報転送システムにおける情報転送方法を説明するための図である。
【図４】図１の情報転送システムにおける情報転送方法を説明するためのフローチャートである。
【図５】図１の情報転送システムにおける情報転送方法を説明するための図である。
【図６】図１の情報転送システムにおける情報転送方法を説明するための図である。
【図７】図１の情報転送システムにおける情報転送方法を説明するための図である。
【図８】図１の情報転送システムにおける情報転送方法を説明するための図である。
【図９】図１の情報転送システムの一利用形態を説明するための図である。
【図１０】図９の情報転送システムにおける内部構成を説明するためのブロック図である。
【符号の説明】
【００６９】
１０  テレビジョン受像機
１１  マイコン
１２  メモリ
１３  映像／音声処理回路
１４  画像生成部
１５  画像処理用メモリ
１６  映像／音声出力部
２０  カメラ付き携帯電話
２１  カメラ部
２２  画像処理用メモリ
２３  画像解析部
２４  マイコン
２５  インタフェース
３０ａ，３０ｂ  同期情報
３０ｃ  連続再生画
３０ｄ  調整及び設定データ
【図１】
0004520935.tif 000002
【図２】
0004520935.tif 000003
【図３】
0004520935.tif 000004
【図４】
0004520935.tif 000005
【図５】
0004520935.tif 000006
【図６】
0004520935.tif 000007
【図７】
0004520935.tif 000008
【図８】
0004520935.tif 000009
【図９】
0004520935.tif 000010
【図１０】
0004520935.tif 000011